(57)【特許請求の範囲】
【請求項１】
バネ力によって閉じた状態に向けて付勢されたクランプ部を備え、前記クランプ部の閉状態はロック機構により固定され、更に前記ロック機構を解除する解除手段を有すると共に前記クランプ部の開閉を利用して架線に装着される計器についての前記架線への取付け工程と前記架線からの取外し工程とを含む架線に対する計器の着脱方法であって、
前記架線への取付け工程では、保持具と、計器の取付け用器具として、絶縁ヤットコと、一対の開閉アダプタと、シート挟みとが用いられ、
前記架線からの取り外し工程では、前記保持具と、前記計器の取付け用器具とは別の計器の取外し用器具とが用いられ、
前記架線への取付け工程は、
上方に開口した絶縁性の収納部とこの収納部の反開口部側部と連結する絶縁性の棒状部とを有する前記保持具の前記収納部に前記架線への装着前で且つ前記ロック機構が解除された状態の前記計器を収納する第１の取付け手順と、
前記保持具の棒状部を持って操作することにより前記計器が収納された状態の前記保持具を前記架線に近接させる第２の取付け手順と、
２つの把持片の開閉にて対象物を把持する把持部と前記把持部の支持及び操作を可能とする絶縁の操作棒とから成る前記絶縁ヤットコの前記２つの把持片に前記一対の開閉アダプタを装着し、前記一対の開閉アダプタで前記シート挟みの一対の把持部を把持し、このシート挟みの一対の把持部により前記計器のクランプ部を把持し、前記クランプ部をバネ力に抗して開いた状態にして前記クランプ部で前記架線の周囲を囲む第３の取付け手順と、
前記絶縁ヤットコの前記把持部片を開閉動作して前記シート挟みの前記把持部を開閉動作することで、前記シート挟みの把持部を前記クランプ部から外して前記クランプ部を閉じた状態に復帰させる第４の取付け手順と、
前記絶縁ヤットコに装着された前記シート挟みの先端を操作して前記計器のロック機構で前記クランプ部を閉状態に固定することで前記計器の前記架線への装着を完了させる第５の取付け手順と、
前記保持具の棒状部を持って操作することにより前記保持具の収納部を下方に変位させて前記架線への装着状態の計器から外す第６の取付け手順とを有し、
前記架線からの取外し工程は、
前記保持具の前記収納部を上方に変位させて前記架線に装着状態の計器を収納する第１の取外し手順と、
鉤部分を備えたスティック部と前記スティック部の基部側に連結される絶縁性の棒状部とを有する前記計器の取外し用器具の前記スティック部を操作して前記計器のロック機構を解除する第２の取外し手順と、
前記計器の取外し用器具の前記スティック部の先端を前記計器のクランプ部に引き掛けて前記保持具と前記計器の取外し用計器とを同時に下方に向けて変位させる第３の取外し手順と
を有することを特徴とする架線に対する計器の着脱方法。
【請求項２】
前記計器のロック機構は、スライドボタンを前記スライドボタンのスライド可能な方向の一方向に移動させることにより前記クランプ部の開状態又は閉状態が固定され、スライドボタンを前記スライドボタンのスライド可能な方向の他方向に移動させることにより前記クランプ部の開状態又は閉状態が解除される構成となっていることを特徴とする請求項１に記載の架線に対する計器の着脱方法。
【請求項３】
前記計器の取外し用器具は、前記スティック部の鉤部分の先端が偏平状になっていることを特徴とする請求項１又は請求項２に記載の架線に対する計器の着脱方法。
【請求項４】
前記計器の取外し用器具は、前記スティック部が、前記棒状部の径方向に延びる部位の寸法が前記計器の本体の略幅寸法となっていると共に前記スティック部の鉤部分の先端側が前記計器の形状に沿って円弧状となっていることを特徴とする請求項３に記載の架線に対する計器の着脱方法。
【発明の詳細な説明】
【技術分野】
【０００１】
この発明は、活線状態の高圧電線・その他の架線に装着されて使用されるクランプ式電流計等の計器を架線に取付ける方法と架線から取外す方法の双方を含む意味での架線に対して計器を着脱するための方法に関する。
【背景技術】
【０００２】
高圧電線等の架線の通過電流を活線状態で計測し記録する機器として、例えば特許文献１に示されるようなクランプ式電流計が知られていると共に、この種のクランプ式電流計を活線状態の高圧電線に保持するための保持具も、特許文献２に示されるように本願の出願人等により既に公知になっている。
【０００３】
更に、高圧活線電流計の着脱方法並びにこの着脱方法の取付け工程と取外し工程との双方の工程で使用される操作用工具についても、特許文献３に示されるように本願の出願人により既に出願されて公知になっている。
【０００４】
この特許文献３に記載された高圧活線電流計の着脱方法について概説すると、クランプ式電流計を高圧電線に取付ける方法にあっては、アタッチメント用工具で記録電流計を保持して操作用工具でＣＴクランプを開状態とするステップ１００と、この開状態を停止するステップ１０１と、操作用工具でロック機構を固定するステップ１０２と、アタッチメント用工具を撤去するステップ１０３から成るものとして示され、クランプ式電流計を高圧活線から取外す方法にあっては、アタッチメント用工具で記録電流計を保持するステップ２００と、操作用工具でロック機構を解除するステップ２０１と、操作用工具でＣＴクランプを開状態とするステップ２０２と、高圧活線から記録電流計を離間するステップ２０３とから成るものとして示されている。
【０００５】
そして、この特許文献３に示される高圧活線電流計の着脱方法で使用される操作用工具は、ヘッド部と、絶縁操作棒とで主に構成されており、更にヘッド部はこのヘッド部の先端を曲げ加工して成る第１棒部材と、ヘッド部の曲げ加工部位より基部側において第１棒部材と平行となるように溶接された第２棒部材とを有しており、これによりヘッド部は略Ｆ字形状になっている。
【先行技術文献】
【特許文献】
【０００６】
【特許文献１】特許第３９４３４２９号公報
【特許文献２】特開２００９−１１８５８６号公報
【特許文献３】特開２００５−３３７９６１号公報
【発明の概要】
【発明が解決しようとする課題】
【０００７】
もっとも、特許文献３に示される操作用工具は、第１棒部材と第２棒部材とで対象物を挟持する機能を備えていないこと等から、ＣＴクランプにその内側から第１棒部材が当接して作用点をなし且つ電流計の容器に第２棒部材が当接して支点をなすように操作用工具を作用させ、ＣＴクランプのバネ力に抗して当該ＣＴラクンプを、軸部の周囲に沿って回転させて両ＣＴクランプを開き、これを保持する動作を必要としている。そして、この特許文献３の段落番号「００４７」での説明では、上記した記録電流計の取付け動作が複数の作業者で行うことを前提として説明されている。
【０００８】
また、架線に対する計器の着脱方法の作業能率を向上させるために、架線に対する計器の取付け動作の簡便化や、この取付け動作で必要される作業者数の削除が求められているところ、上記特許文献３に示されるクランプ式電流計を高圧活線に取付ける方法及びその操作用工具は、この要請に必ずしも十分に応えるものとは言えず、改善が望まれる。
【０００９】
更にまた、架線に対する計器の取外し工程で用いる操作用具について、架線に対する計器の取付け用の操作用器具としても使用することができるようにその共用化を図った場合には、この取付け用の操作用器具の構造としての最適化を必ずしも十分に図ることができない。
【００１０】
そこで、本発明は、架線に対する計器の着脱作業の簡便化やこの着脱作業で必要とされる作業者の人数を単数に抑制することを可能とした架線からの計器の着脱方法を提供することを目的とする。
【課題を解決するための手段】
【００１１】
この発明に係る架線からの計器の着脱方法は、バネ力によって閉じた状態に向けて付勢されたクランプ部を備え、前記クランプ部の閉状態はロック機構により固定され、更に前記ロック機構を解除する解除手段を有すると共に前記クランプ部の開閉を利用して架線に装着される計器についての前記架線への取付け工程と前記架線からの取外し工程とを含む架線に対する計器の着脱方法であって、前記架線への取付け工程では、保持具と、計器の取付け用器具として、絶縁ヤットコと、一対の開閉アダプタと、シート挟みとが用いられ、前記架線からの取り外し工程では、前記保持具と、前記計器の取付け用器具とは別の計器の取外し用器具とが用いられ、前記架線への取付け工程は、上方に開口した絶縁性の収納部とこの収納部の反開口部側部と連結する絶縁性の棒状部とを有する前記保持具の前記収納部に前記架線への装着前で且つ前記ロック機構が解除された状態の前記計器を収納する第１の取付け手順と、前記保持具の棒状部を持って操作することにより前記計器が収納された状態の前記保持具を前記架線に近接させる第２の取付け手順と、２つの把持片の開閉にて対象物を把持する把持部と前記把持部の支持及び操作を可能とする絶縁の操作棒とから成る前記絶縁ヤットコの前記２つの把持片に前記一対の開閉アダプタを装着し、前記一対の開閉アダプタで前記シート挟みの一対の把持部を把持し、このシート挟みの一対の把持部により前記計器のクランプ部を把持し、前記クランプ部をバネ力に抗して開いた状態にして前記クランプ部で前記架線の周囲を囲む第３の取付け手順と、前記絶縁ヤットコの前記把持部片を開閉動作して前記シート挟みの前記把持部を開閉動作することで、前記シート挟みの把持部を前記クランプ部から外して前記クランプ部を閉じた状態に復帰させる第４の取付け手順と、前記絶縁ヤットコに装着された前記シート挟みの先端を操作して前記計器のロック機構で前記クランプ部を閉状態に固定することで前記計器の前記架線への装着を完了させる第５の取付け手順と、前記保持具の棒状部を持って操作することにより前記保持具の収納部を下方に変位させて前記架線への装着状態の計器から外す第６の取付け手順とを有し、前記架線からの取外し工程は、前記保持具の前記収納部を上方に変位させて前記架線に装着状態の計器を収納する第１の取外し手順と、鉤部分を備えたスティック部と前記スティック部の基部側に連結される絶縁性の棒状部とを有する前記計器の取外し用器具の前記スティック部を操作して前記計器のロック機構を解除する第２の取外し手順と、前記計器の取外し用器具の前記スティック部の先端を前記計器のクランプ部に引き掛けて前記保持具と前記計器の取外し用計器とを同時に下方に向けて変位させる第３の取外し手順とを有することを特徴としている（請求項１）。ここで、架線は、例えば活線状態の高圧電線である。計器は、例えばＣＴ（Current Transformer）クランプ式電流計である。計器の取付け用器具の把持手段は、例えば絶縁ヤットコ、開閉アダプタ及びシート挟みの組み合わせである。
【００１２】
これにより、架線への計器の取り付け時では、絶縁性の操作棒を有する保持具と、計器の取付用器具として、計器の取付用器具として、絶縁ヤットコ、開閉アダプタ及びシート挟みの組み合わせ、とを用いることで、架線に対し遠方から絶縁性の操作棒を操作して作業を行うことが可能である。また、架線からの計器の取外し時では、絶縁性の操作棒を有する保持具と絶縁性の操作棒を有する計器の取外し用器具とを用いることで、架線に対し遠方から絶縁性の操作棒を操作して作業を行うことが可能である。そして、計器の取付け機能用の器具と計器の取外し用の器具とを１つの器具に共通化しないことにより、計器の取外し用器具の構造として最適化を図ることができる。
【００１３】
この発明に係る架線からの計器の着脱方法にあって、前記計器のロック機構は、スライドボタンを前記スライドボタンのスライド可能な方向の一方向に移動させることにより前記クランプ部の開状態又は閉状態が固定され、スライドボタンを前記スライドボタンのスライド可能な方向の他方向に移動させることにより前記クランプ部の開状態又は閉状態が解除される構成となっていることを特徴としている（請求項２）。
【００１４】
これにより、架線への計器の取付け作業又は架線からの計器の取外し作業において計器のロック機構による規制とその解除及びクランプ部の開閉を１つの計器の取付け用器具又は１つの計器の取外し用器具の使用でしかも片手で行うことが可能となることから、架線への計器の取付け作業では一方の手で保持具の操作棒を操作し、他方の手で計器の取付け用器具の操作棒を操作し、架線からの計器の取外し作業では一方の手で保持具の操作棒を操作し、他方の手で計器の取外し用器具の操作棒を操作することができるので、双方の作業を人員１人で行うことができる。
【００１５】
この発明に係る架線からの計器の着脱方法にあって、前記計器の取外し用器具は、前記スティック部の鉤部分の先端が偏平状になっていることを特徴としている（請求項３）。このように、計器の取付け用の器具と計器の取外し用の器具とを１つの器具に共通化しないことにより、計器の取外し用器具の構造として最適化を図ることができる。
【００１６】
この発明に係る架線からの計器の着脱方法にあって、前記計器の取外し用器具は、前記スティック部が、前記棒状部の径方向に延びる部位の寸法が前記計器の本体の略幅寸法となっていると共に前記スティック部の鉤部分の先端側が前記計器の形状に沿って円弧状となっていることを特徴としている（請求項４）。これによって、計器のロック機構のスライドボタンの操作と計器のクランプ部への引き掛けをより簡易且つ確実に行うことができる。
【発明の効果】
【００１７】
以上のように、請求項１から請求項４に記載の発明によれば、架線への計器の取り付け時では、絶縁性の操作棒を有する保持具と、計器の取付用器具として、絶縁ヤットコ、開閉アダプタ及びシート挟みの組み合わせ、とを用いることで、架線に対し遠方から絶縁性の操作棒を操作して作業を行うことが可能となる。そして、架線からの計器の取外し時では、絶縁性の操作棒を有する保持具と絶縁性の操作棒を有する計器の取外し用器具とを用いることで、架線に対し遠方から絶縁性の操作棒を操作して作業を行うことが可能となる。このため、架線への計器の取付け及び架線からの計器の取外しの双方の作業において、作業員の感電防止を図ることができ、これに伴い、作業員が絶縁手袋を装着して作業をする必要性がなくなることから、計器の着脱作業の効率も向上する。そして、計器の取付け用の器具と計器の取外し用の器具とを１つの器具に共通化しないことにより、計器取外し用器具の構造として最適化を図ることができる。
【００１８】
特に請求項２に記載の発明によれば、架線への計器の取付け作業又は架線からの計器の取外し作業において計器のロック機構の開閉動作を１つの計器の取付け用器具又は１つの計器の取外し用器具で行うことが可能となることから、架線への計器の取付け作業では両手で保持具の操作棒と計器の取付け用器具の操作棒とを操作し、架線からの計器の取外し作業では両手で保持具の操作棒と計器の取外し用器具の操作棒とを操作することができるため、双方の作業を人員１人で行うことができるので、計器の着脱作業に必要な人員の数を削減することが可能となる。
【００１９】
特に請求項３に記載の発明に示されるように、計器取付け機能用の器具と計器取外し用の器具とを１つの器具で共用化しないことにより、計器取外し用器具の構造として最適化を図ることができる。
【００２０】
特に請求項４に記載の発明によれば、計器取外し用器具は、その計器取外し用としての構造がより最適化されて、計器のロック機構のスライドボタンの操作と計器のクランプ部への引き掛けをより簡易且つ確実に行うことができる。
【図面の簡単な説明】
【００２１】
【図１】図１は、この発明に係る架線に対する計器の着脱方法で架線に装着される計器の構成を示す説明図である。
【図２】図２は、同上の係る架線に対する計器の着脱方法で用いられる保持具の構成を示す説明図である。
【図３】図３（ａ）は、同上の係る架線に対する計器の着脱方法で用いられる共用操作棒の構成を示す全体図であり、図３（ｂ）は同上の共用操作棒の先端のアタッチメント部の拡大図である。
【図４】図４（ａ）は、同上の係る架線に対する計器の着脱方法で用いられる計器の取付け用器具の間接活線工具（絶縁ヤットコ）の構成を示す全体図であり、図４（ｂ）は同上の間接活線工具の把持部の拡大図である。
【図５】図５は、図４に示される間接活線工具の把持部に開閉アダプタを装着し、更にこの開閉アダプタでシート挟みを把持する態様を示す説明図である。
【図６】図６（ａ）は、図５に示される一対の開閉アダプタの一方の側面図であり、図６（ｂ）は、図５に示される一対の開閉アダプタの一方の背面図である。
【図７】図７（ａ）は、図５に示される一対の開閉アダプタの他方の側面図であり、図７（ｂ）は、図５に示される一対の開閉アダプタの他方の背面図である。
【図８】図８は、図４に示される間接活線工具の把持部に図６及び図７に示される開閉アダプタを装着し、更に開閉アダプタで図５に示されるシート挟みを把持した状態を示す説明図である。
【図９】図９は、同上の架線に対する計器の着脱方法のうちの計器の取付け工程の手順を示したフローチャートである。
【図１０】図１０は、同上の係る架線に対する計器の着脱方法で用いられる計器の取外し用器具の構成の一例を示す説明図であり、図１０（ａ）は、同上の計器の取外し用器具のスティック部の構成を示し、図１０（ｂ）は、同上のスティック部のスティック本体の鉤部分先端を示している。
【図１１】図１１は、同上の係る架線に対する計器の着脱方法で用いられる計器の取外し用器具で、且つ図１０とは異なる構成となる他の例を示す説明図であり、図１１（ａ）は、同上の計器の取外し用器具のスティック部の構成を示し、図１１（ｂ）は、同上のスティック部のスティック本体の鉤部分先端を示している。る。
【図１２】図１２は、同上の計器の取外し用器具のスティック部のスティック本体を計器に引き掛けて保持具と一緒にこの計器の取外し用器具を引き下ろす工程を示す説明図である。
【図１３】図１３は、同上の架線に対する計器の着脱方法のうちの計器の取外し工程の手順を示したフローチャートである。
【発明を実施するための形態】
【００２２】
以下、この発明の実施形態を図面に基づいて説明する。
【００２３】
図１において、架線のうち通電状態の高圧電線１に一時的に装着される計器の例としてクランプ式電流計２が示されている。このクランプ式電流計２は、高圧電線中の通過電流を無停電にて計測して記録する例えば前述したＣＴタイプの電流計である。このクランプ式電流計２について更に詳述すると、高圧電線１を中心とし、この高圧電線１の周囲に発生する磁場の強度から、高圧電線１に流れる電流値を測定して記録するメモリーカード式記録電流計であり、一対のＣＴクランプ３、４と、例えば縦長の直方体状の本体５とから構成されているもので、ＣＴクランプ３、４は、その内部にて発生する磁場の強度を計測すべく、例えば図示しないコイルが適宜巻回されたコア等を有して形成されている。
【００２４】
そして、一方のＣＴクランプ３は、本体５に固定された固定側のものであり、他方のＣＴクランプ４は本体５に軸支されて図１に示すＰ点を中心としてＣＴクランプ３に対し遠近するように回動する可動側のものである。この可動側のＣＴクランプ４の機能を詳述すると、通常時においては実線の矢印６の方向にバネ力によって付勢されてＣＴクランプ３との間隔が閉じた状態（クランプの閉状態）であり、ＣＴクランプ３との当接側と反対側に位置するハンドル７を一点鎖線１の矢印８ａの方向に押圧することによりＣＴクランプ４が一点鎖線２の矢印８ｂの方向に回転して、ＣＴクランプ４はＣＴクランプ３から離れた状態（クランプの開状態）になる。尚、ハンドル７に対する一点鎖線１の矢印８ａの方向への押圧を止めれば、実線の矢印６の方向へのバネ力により、ＣＴクランプ４は一点鎖線２の矢印８ｂの方向とは逆方向に回転してクランプの閉状態に復帰する。
【００２５】
また、クランプ式電流計２は、ＣＴクランプ４が一点鎖線２の矢印８ｂの方向に回転するのを、更には必要に応じて一点鎖線２の矢印８ｂの方向とは逆方向に回転するのを規制し、その規制を解除するロック機構９を本体５に有している。ロック機構９は、台部１０及びスライダ１１から少なくとも成るスライドボタン型が図示されており、スライダ１１を白抜き矢印１２に示されるハンドル７に対し遠近させる方向に可動することにより、ＣＴクランプ４の回転に対する規制とその解除とを行うことができる。この実施例では、スライダ１１をハンドル７側（図１の上方）に可動させることでＣＴクランプ４の回転を規制する作用（ロック機構９による固定）を行い、スライダ１１をハンドル７とは反対側（図１の下方）に可動させることでＣＴクランプ４の回転の規制を解除する作用（ロック機構９の解除）を行うようになっている。
【００２６】
図２において、高圧電線１に対するクランプ式電流計２の着脱方法のクランプ式電流計２の取付け工程及びクランプ式電流計２の取外し工程の双方で用いられる保持具１４が示されている。この保持具１４は、絶縁性の素材から成る収納部１５と、図３にも示される絶縁性の共用操作棒２０とを有して構成されている。
【００２７】
収納部１５は、図１に示されるようにクランプ式電流計２の本体５のみを収納し、ＣＴクランプ３、４を収納しない構成のものであり、内部が空洞の縦長の略直方体形状をなすと共にその鉛直方向の上方にクランプ式電流計２の本体５の外形状より若干大きな内形状を有する開口部１７が開口し、この開口部１７は、その周縁から当該開口部１７の軸方向に延びる切り欠き部１７ａを有している。これにより、開口部１７を通じてクランプ式電流計２を収納部１５内に収納し、収納部１５から外に取り出すことができ、且つクランプ式電流計２が収納部１５内に収納された時にはロック機構９を切り欠き部１７ａから外部に露出させることが可能であるため、ロック機構９が収納部１５に対するクランプ式電流計２の本体５の着脱の障害とならず、且つクランプ式電流計２の本体５が収納された状態でロック機構９のスライダ１１を操作することができる。そして、収納部１５の開口部１７とは反対側となる底面外側にはアダプタ１８が設けられており、このアダプタ１８を介して共用操作棒２０の下記する装着部２５に着脱自在に装着することができる。
【００２８】
図３において、共用操作棒２０が示されており、この共用操作棒２０は、後述する取外し用器具５１の共用操作棒２０と共通のものであって、作業員が掴む棒状の支持棒２１と、傘状のつば２２、２３とグリップ２４と装着部２５とを有して構成されている。そして、装着部２５は、略円柱状の基体２６の側方外周面に一対の装着ピン２７ａ、２７ｂが突出して設けられていると共に、その頂面にプッシュロッド２７ｃが設けられている。プッシュロッド２７ｃは、装着部２５の頂面に対し出没自在に設けられていると共に、図示しないコイルスプリング等の弾性機構により装着部２５の頂面から出る方向に付勢されている。これにより、共用操作棒２０の装着部２５を保持具１４のアダプタ１８内に挿入し装着することによって、保持具１４の収納部１５の脱落防止を図ることが可能となる。
【００２９】
図４、図５及び図８において、高圧電線１に対するクランプ式電流計２の着脱方法のクランプ式電流計２の取付け工程で用いられる絶縁性の取付け用器具の一例として絶縁ヤットコ１９が示されている。この絶縁ヤットコ１９は、作業者が掴む相対的に径の太い支持棒２８と、この支持棒２８の先端に設けられた把持部２９と、この把持部２９を操作するための操作部３０と、前記操作部３０の動作を把持部２９に伝達する相対的に径の細い伝達棒３１とを有して構成されている。
【００３０】
支持棒２８は、略円弧状に延びる２つのプレートを対峙して構成された係合部３２がその先端側に設けられていると共に、その軸方向の途中には傘状のつば３３、３４が設けられている。把持部２９は、支持棒２８の係合部３２のプレート間に挟持固定されて動かない把持片３５と、伝達棒３１に連結されていると共に係合部３２のプレート間に挟持され且つ軸部３６を介して回転可能に軸支された可動の把持片３７とを有して構成されている。
【００３１】
把持片３７は図示しない弾性部材等により把持片３５から離れる方向に付勢されている。伝達棒３１は、絶縁性の素材からなり、前述ようのように一方端が把持片３７と連結されていると共にその軸方向の途中につば３８が設けられており、他方端が操作部３０の下記する支持棒３０ｂと軸部４０を介して連結されている。操作部３０は、ハンドル３０ａと、支持棒３０ｂと、取り付け部３０ｃとを有して構成され、ハンドル３０ａは、支持棒２８に遠近する方向に回転可能となるように、取り付け部３０ｃの軸部４３に軸支されている。
【００３２】
これにより、ハンドル３０ａを支持棒２８に近接する側に可動することで支持棒３０ｂが軸部４０を中心点として把持部２９から離れる方向に揺動し、ひいては支持棒３０ｂに連結された伝達棒３１が支持棒３０ｂ側に引っ張られて、伝達棒３１に連結された把持片３７が把持片３５側に軸部３６を中心に回転して、把持片３５と把持片３７との間の対象物を把持することが可能である。
【００３３】
図５から図７において、ヤットコ１９の把持片３５、３７に装着される開閉アダプタ４９、５０が示されている。この開閉アダプタ４９、５０は把持片３５、３７に外挿されて、係合ピン４１により固定されると共に伸縮チューブ４２により確実且つ柔軟に対象物を掴むことができる。
【００３４】
そして、図５及び図８において、シート挟み４４が示されており、このシート挟み４４は、絶縁性のもので、２つのハンドル４５、４６と、このハンドル４５、４６の操作で先端が相互に遠近させる方向に可動する把持部４７、４８とを有して構成されている。
【００３５】
このような構成の保持具１４、絶縁ヤットコ１９、開閉アダプタ４９、５０及びシート挟み４４を用いることによって、クランプ式電流計２は図９に示される取付け工程で高圧電線１に装着される。
【００３６】
クランプ式電流計２の取付け工程は、ステップ１０１からスタートして、ステップ１０２で、ロック機構９が解除された状態のクランプ式電流計２を保持具１４の収納部１５に開口部１７から入れて収納する。
次に、ステップ１０３で、作業員はこのクランプ式電流計２が収納された状態の保持具１４について、共用操作棒２０の支持棒２１を掴んで上方に持ち上げることにより高圧電線１に近接させる。このとき、先の作業員は、予め保持具１４の共用操作棒２０を持った手とは反対側の手で予め開閉アダプタ４９、５０及びシート挟み４４が装着された絶縁ヤットコ１９の支持棒２８を持った状態にある。
更に、ステップ１０４で、作業員が絶縁ヤットコ１９の操作部３０を片手で操作して、絶縁ヤットコ１９の把持片３５、３７を開閉動作させ、開閉アダプタ４９、５０ひいてはシート挟み４４の把持部４７、４８を開閉動作させることにより、クランプ式電流計２のＣＴクランプ４のハンドル７を掴んでＣＴクランプ４を開いた状態とし、このＣＴクランプ４の開いた状態を維持しながら高圧電線１がＣＴクランプ３、４間を通、ＣＴクランプ３、４が高圧電線１の周囲を囲むようにクランプ式電流計２を収納した保持具１４を片手で持ち上げる。
更にまた、ステップ１０５で、作業員が絶縁ヤットコ１９の操作部３０を片手で操作して、絶縁ヤットコ１９の把持片３５、３７を開閉動作させ、開閉アダプタ４９、５０ひいてはシート挟み４４の把持部４７、４８を開閉動作させることにより、シート挟み４４の把持部４７、４８をクランプ式電流計２のＣＴクランプ４のハンドル７から外し、クランプ式電流計２のＣＴクランプ４をバネ力によりＣＴクランプ３とで元の閉じた状態に復帰させる。
そして、ステップ１０６で、作業員が絶縁ヤットコ１９に装着したシート挟み４４の先端を片手で操作して、ロック機構９のスライダ１１を下方に移動させることで、ロック機構９によりクランプ式電流計２のＣＴクランプ４が閉じた状態を固定し、クランプ式電流計２の高圧電線１への装着を完了させる。
最後に、作業員が保持具１４を片手で操作して下方に変位させることにより、高圧電線１に装着された状態のクランプ式電流計２から保持具１４の収納部１５を外して、取付け工程の全てが終了する。
【００３７】
よって、このクランプ式電流計２の架線への取付け工程では、高圧電線１へのクランプ式電流計２の取付け作業性に優れた絶縁ヤットコ１９を用いて、作業員単独で作業を行うことが可能である。
【００３８】
一方、図１０から図１２において、高圧電線１に対するクランプ式電流計２の着脱方法のクランプ式電流計２の取外し工程で用いられる絶縁性の取外し用器具５１が示されている。
【００３９】
この取外し用器具５１は、図３に示される共用操作棒２０と、この共用操作棒２０の支持棒２１の作業員が掴む側と反対側に設けられた装着部２５に対し着脱自在に装着可能なスティック部５２とを有して構成されている。スティック部５２は、アダプタ１８とスティック本体５３とで構成されている。
【００４０】
そして、スティック本体５３は、棒状のもので、図１０に示される実施例にあっては、図１０（ａ）に示されるように、アダプタ１８からその軸方向に沿って延びた後、曲折してアダプタ１８の径方向に延びることにより鉤部分５４を有する形態をなしており、鉤部分５４の先端は図１０（ｂ）に示されるように偏平になっている。
【００４１】
これにより、作業員が共用操作棒２０の支持棒２１を片手で掴んだ状態で、取外し用器具５１の鉤部分５４を操作して、クランプ式電流計２のロック機構９のスライダ１１を、図１の白抜き矢印１２の方向のうち下方に引き下ろすことにより、ロック機構９を解除することができる。また、作業員が共用操作棒２０の支持棒２１を片手で掴んだ状態で、取外し用器具５１のクランプ本体５３をＣＴクランプ３とＣＴクランプ４とで形成された環内に通して、図１２の白抜き矢印５７の方向となる下方に取外し用器具５１を下方に変位させることで、クランプ本体５３がＣＴクランプ４の内側縁に引き掛けられ、このクランプ本体５３で当該ＣＴクランプ４を下方に押圧し、図１２の矢印５８の方向に強制的にＣＴクランプ４を開くことができる。
【００４２】
また、スティック本体５３は、図１１に示される実施例にあっては、図１１（ａ）に示されるように、アダプタ１８からその軸方向に沿って延びた後、曲折（第１の曲折Ｃ１）してアダプタ１８の径方向に延び、更にアダプタ１８側に向けて曲折（第２の曲折Ｃ２）して当該アダプタ１８の軸方向に沿って若干延び、更にまた曲折（第３の曲折Ｃ３）してアダプタ１８の径方向の外側に向けて延びることにより鉤部分５４を有する形態をなしており、鉤部分５４の先端も図１１（ｂ）に示されるように偏平になっている。そして、スティック本体５３の第１の曲折Ｃ１の部位から第２の曲折Ｃ２の部位までの寸法Ｌ１は、クランプ式電流計２の厚みの寸法Ｌ２（図１２に示す）と同じか若干大きくなるように設定されており、これにより、スティック本体５３はクランプ式電流計２の本体５にその厚み方向から係合することができる。また、スティック本体５３の第２の曲折Ｃ２は、クランプ式電流計２のハンドル７からロック機構９のスライダ１１よりも上方にかけてこれらに接しつつ円滑に移動することができるように湾曲している。
【００４３】
これにより、作業員が共用操作棒２０の支持棒２１を片手で掴んだ状態で、取外し用器具５１の鉤部分５４を操作して、クランプ式電流計２のロック機構９のスライダ１１を、図１の白抜き矢印１２の方向のうち下方に引き下ろしてロック機構９を解除するにあたって、鉤部分５４をロック機構９のスライダ１１よりも上方となる部位に円滑に案内することが可能である。そして、この取外し用器具５１でも、作業員が共用操作棒２０の支持棒２１を片手で掴んだ状態で、取外し用器具５１のスティック本体５３をＣＴクランプ３とＣＴクランプ４とで形成された環内に通して、スティック本体５３の第１の曲折Ｃ１、Ｃ２間でクランプ式電流計２の本体５に係合させた後、図１２の白抜き矢印５７の方向となる下方に取外し用器具５１を下方に変位させることで、クランプ本体５３がＣＴクランプ４の内側縁に引き掛けられ、このクランプ本体５３で当該ＣＴクランプ４を下方に押圧し、図１２の矢印５８の方向に強制的にＣＴクランプ４を開くことができる。
【００４４】
このような構成の保取外し用器具５１と、取付け工程でも使用した保持具１４を用いることによって、クランプ式電流計２は図１３に示される取外し工程により高圧電線１から取外される。
【００４５】
クランプ式電流計２の取外し工程は、ステップ２０１からスタートして、ステップ２０２で、作業員は、片手で保持具１４の共用操作棒２０の支持棒２１を掴んで持ち上げることにより、保持具１４の収納部１５を上方に変位させて、収納部１５の開口部１７からクランプ式電流計２の本体５を当該収納部１５内に収納させる。
次に、ステップ２０３で、作業員は、保持具１４を掴む方とは別になる片手で取外し用器具５１の共用操作棒２０の支持棒２１を掴んで、取外し用器具５１のスティック部５２を操作して、スティック本体５３の鉤部分５４でロック機構９のスライダ１１を下方に引き下ろしてロック機構９による規制を解除する。このステップ２０３の作業中、作業員は、もう一方の片手で保持具１４の収納部１５にクランプ式電流計２の本体５を収納した状態を維持している。
更に、ステップ２０４で、作業員は、ステップ２０３と同様に、保持具１４の収納部１５にクランプ式電流計２の本体５を収納した状態を維持しつつ、取外し用器具５１のスティック部５２をクランプ式電流計２のＣＴクランプ３、４で形成された環内に差し込み、クランプ本体５３がＣＴクランプ３の内側縁に引き掛けられた状態とした後、作業員は同時に保持具１４の共用操作棒２０と取外し用器具５１の共用操作棒２０とを下方に向けて変位させる。
これにより、図１２に示されるように、ＣＴクランプ４が強制的に開いてＣＴクランプ３、４による環が開放され、クランプ式電流計２は高圧電線１から取外されると共に、この取外されたクランプ式電流計２は保持具１４の収納部１５に収納された状態のまま下方に変位するので、クランプ式電流計２が地面等に落下することはない。
【００４６】
よって、このクランプ式電流計２の架線への取外し工程でも、高圧電線１からクランプ式電流計２の取外し作業に優れた形態の取外し用器具５１を用いて、作業員単独で作業を行うことが可能である。しかも、保持具１４と取外し用器具５１とを下方に変位させる操作も、保持具１４と取外し用器具５１とをそれぞれ片手で持つことにより同一人によって行うことができるので、１の作業員が保持具１４を引き下げ、他の作業員が取外し用器具５１を引き下げる場合に比較して、両器具１４、５１の引き下げのタイミングがずれるおそれがない。
【符号の説明】
【００４７】
１  高圧電線（架線）
２  クランプ式電流計（計器）
３  ＣＴクランプ（クランプ部）
４  ＣＴクランプ（クランプ部）
９  ロック機構
１１  スライダ（解除手段）
１４  保持具
１５  収納部
１７  開口部
１７ａ  切り欠き部
１８  アダプタ
１９  絶縁ヤットコ（計器の取付け用器具）
２０  共用操作棒
２１  支持棒
２５  装着部
２８  支持棒
２９  把持部（把持手段）
４２  伸縮チューブ（把持手段）
４４  シート挟み（計器の取付け用器具）
４７  把持部（把持手段）
４８  把持部（把持手段）
４９  開閉アダプタ（計器の取付け用器具）
５０  開閉アダプタ（計器の取付け用器具）
５１  取外し用器具（計器の取外し用器具）
５２  スティック部
５３  スティック本体
５４  鉤部分
【図１】
0005693883.tif 000002
【図２】
0005693883.tif 000003
【図３】
0005693883.tif 000004
【図４】
0005693883.tif 000005
【図５】
0005693883.tif 000006
【図６】
0005693883.tif 000007
【図７】
0005693883.tif 000008
【図８】
0005693883.tif 000009
【図９】
0005693883.tif 000010
【図１０】
0005693883.tif 000011
【図１１】
0005693883.tif 000012
【図１２】
0005693883.tif 000013
【図１３】
0005693883.tif 000014